Podtech/llm-jp-corpus-v4-ja_patent huggingface dataset:
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
複数のノード（４０２、４０４、４０６、４０８）を規定する構成要素のシステムにおいて、各ノード（４０２、４０４、４０６、４０８）の一部を形成する待ち行列ネットワークマネージャ（ＱＮＭ）（５８２）であって、
前記複数のノード（４０２、４０４、４０６、４０８）間の相互通信をサポートする、ネットワークへのインタフェース（５０４）と、
前記ノード内の機能ユニット（５２２、５２４）にメッセージを渡すように構成されるインタフェース（５０８）と、
メッセージ（５１２）およびプログラム可能命令（５１４）のうちの少なくとも一方を格納するように構成されるランダムアクセスメモリ（ＲＡＭ）（５１０）と、
前記プログラム可能命令（５１４）の内容を評価するように構成され、前記評価されたプログラム可能命令（５１４）に基づいて、前記機能ユニットを構成して、前記機能ユニットの動作態様を制御するロジック（５４０）と
を備える待ち行列ネットワークマネージャ。
【請求項２】
前記機能ユニット（５２２、５２４）の動作態様を制御するロジックは、前記ＲＡＭ（５１０）に格納された前記プログラム可能命令（５１４）を評価するように構成される実行ユニット（５４０）を、この待ち行列ネットワークマネージャ（５８２）内に備える
請求項１に記載の待ち行列ネットワークマネージャ。
【請求項３】
少なくとも１つの実行ユニット（５４０、５４２）をさらに備え、この実行ユニット（５４０、５４２）はそれぞれ、機能動作を行うように構成される
請求項１に記載の待ち行列ネットワークマネージャ。
【請求項４】
前記プログラム可能命令（５１４）は、少なくとも１つの実行ユニット（５４０、５４２）の動作を制御するように動作可能である
請求項３に記載の待ち行列ネットワークマネージャ。
【請求項５】
リモートノード（４０２、４０４、４０６）からプログラム可能命令（５１４）を受け取り、このプログラム可能命令（５１４）を前記ＲＡＭに格納するロジック（５３０）をさらに備える
請求項１に記載の待ち行列ネットワークマネージャ。
【請求項６】
前記機能ユニットは、メッセージ生成機能ユニット（５２４）である
請求項１に記載の待ち行列ネットワークマネージャ。
【請求項７】
前記機能ユニットは、メッセージ消費側機能ユニット（５２２）である
請求項１に記載の待ち行列ネットワークマネージャ。
【請求項８】
前記システムは、コンピュータグラフィックスシステムである
請求項１に記載の待ち行列ネットワークマネージャ。
【請求項９】
前記少なくとも１つのメッセージ（５１２）は、前記少なくとも１つの機能ユニット（５２２、５２４）に対する命令を含む
請求項１に記載のシステム。
【請求項１０】
少なくとも１つの機能ユニット（５２２、５２４）は、テクスチャ・マッピング(texture mapping)構成要素、ジオメトリ・アクセラレータ、シェーダ、ｚ／混合構成要素、ラスタライザ、ティラ(tiler)およびキャッシュ・コントローラからなるグループから選択される１つである
請求項１に記載のシステム。
【請求項１１】
複数のノード（４０２、４０４、４０６、４０８）を規定する構成要素のシステムにおいて、データおよび命令の流れを少なくとも１つの機能ユニット（５２２、５２４）に配向する方法であって、
第１のインタフェースを通してリモートノード（４０２、４０４、４０６）からプログラム可能命令を受け取ること（６１２）と、
前記プログラム可能命令（５１４）をランダムアクセスメモリ（ＲＡＭ）（５１０）に格納すること（６１４）と、
前記プログラム可能命令（５１４）の内容を用いることであって、実行ユニット（５４０、５４２）の動作を構成すること（６１６）と
を含む方法。
【請求項１２】
遠隔ノードからメッセージを受けて、受けたメッセージを、ＲＡＭ（５１０）に記憶すること
をさらに含む請求項１１に記載の方法。
【請求項１３】
少なくとも１つの機能ユニットで、第２のインターフェースを通して、メッセージを交換すること
をさらに含む請求項１２に記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  ストレージエリアネットワークに関連するデータライブラリを分割するシステムであって、
データ記憶媒体を収容するように適合される複数の収容要素スロットであって、該収容要素スロットのうちの少なくとも１つからなる少なくとも１つのセットが、複数のパーティションのうちの１つのパーティションに割り当てられる、複数の収容要素スロットと、
前記データ記憶媒体を受け取り、前記データ記憶媒体へ／からデータを転送するように適合される複数のデータ転送要素であって、該データ転送要素のうちの少なくとも１つからなる少なくとも１つのセットそれぞれが、前記パーティションのうちの１つに割り当てられるデータ転送要素と、
前記パーティションそれぞれの仮想的なコントローラに異なる論理要素名称を割り当てるライブラリコントローラであって、前記仮想的なコントローラが１つの同じ前記パーティションに割り当てられる前記収容要素スロットの１つのセットへの／からの前記データ転送媒体の移動を指示する、前記ライブラリコントローラと、
を備えるシステム。
【請求項２】  前記仮想的なコントローラは、前記データ転送要素の１つのセットへの／からの前記データ記憶媒体の移動を指示し、前記収容要素スロットの前記１つのセットおよび前記データ転送要素の前記１つのセットは１つの同じ前記パーティションに割り当てられる、請求項１記載のシステム。
【請求項３】  前記パーティションの少なくとも１つはセキュアであり、前記セキュアなパーティションの特定の１つへのアクセスは、該特定のパーティションへのアクセスに関する一意のホストデバイス識別子のリストに列挙される一意のホストデバイス識別子を有する前記ストレージエリアネットワークのユーザに制限される、請求項１または２記載のシステム。
【請求項４】  セキュアなパーティションについての一意のホストデバイス識別子がリストにない場合、前記セキュアなパーティションがいかなるユーザによるアクセスからも保護される、請求項３記載のシステム。
【請求項５】  前記パーティションの少なくとも１つは非セキュアであり、前記ストレージエリアネットワークの任意のユーザによる前記非セキュアなパーティションへのアクセスは許可される、請求項１または２記載のシステム。
【請求項６】  前記データ転送要素の少なくとも１つはディスエーブルされ、いかなるユーザも前記少なくとも１つのディスエーブルされるデータ転送要素にアクセスすることはできない、請求項１または２記載のシステム。
【請求項７】  前記パーティションの少なくとも１つにおける前記収容要素スロットの少なくとも１つは、インポート／エクスポートスロットとして定義される、請求項１または２記載のシステム。
【請求項８】  ストレージエリアネットワークに関連するデータライブラリを分割する方法であって、
異なる論理要素名称を複数のライブラリパーティションそれぞれに割り当てるステップと、
前記データライブラリにおいて前記パーティションを確立するステップであって、前記パーティションはそれぞれ少なくとも１つの収容要素スロットおよび少なくとも１つのデータ転送要素を含み、前記収容要素スロットはそれぞれ媒体を収容するように適合され、前記データ転送要素はそれぞれ前記媒体を受け取り、データを前記媒体へ／から転送するように適合されるステップと、
同じパーティションに割り当てられた前記収容要素スロットへの／からの前記媒体の移動を制御するステップと
を含む方法。
【請求項９】  前記データ転送要素への／からの、および、同じ前記パーティションに割り当てられた前記収容要素スロットへの／からの前記媒体の移動を制御するステップをさらに含む、請求項８記載の方法。
【請求項１０】  前記パーティションそれぞれにアクセス可能な一意のホストデバイス識別子のリストを割り当てることにより、前記パーティションのうち選択されたパーティションをセキュア化するステップをさらに含む、請求項８または９記載の方法。
【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】
サービスを提供するためのコンピュータネットワークであって、
各コンピューティングエレメントが１以上のサービスをサポートするためのコンピューティングリソースを含む、複数のコンピューティングエレメントと、
前記コンピューティングエレメントのそれぞれと通信するように接続され、前記複数のコンピューティングエレメントの電子メールプロキシとして機能するように構成されたリダイレクタと
からなり、前記サービスは、前記リダイレクタにより前記複数のコンピューティングエレメント間でルーティングされる電子メールメッセージによって制御される、コンピュータネットワーク。
【請求項２】
前記複数のコンピューティングエレメントのそれぞれがサービスハンドラを含み、
コンピューティングエレメント上の前記サービスハンドラは、入ってきた電子メールメッセージからアクセス関数を抽出し、抽出されたアクセス関数に従うように構成される、請求項１に記載のコンピュータネットワーク。
【請求項３】
前記リダイレクタは、電子メールメッセージをルーティングするためのメールルータを含む、請求項２に記載のコンピュータネットワーク。
【請求項４】
前記リダイレクタは、入ってきた電子メールメッセージからアクセス関数を抽出するためのサービスハンドラを含み、
前記サービスハンドラは、前記サービスをサポートする前記複数のコンピューティングエレメントへコマンド又はデータを送信することにより、抽出された前記アクセス関数に従うように構成される、請求項１に記載のコンピュータネットワーク。
【請求項５】
前記データはサービスである、請求項４に記載のコンピュータネットワーク。
【請求項６】
前記データは、サービスにアクセスすることが可能な指定された場所である、請求項４に記載のコンピュータネットワーク。
【請求項７】
電子メールを受信し、アクセス関数を含む電子メールメッセージを前記複数のコンピューティングエレメントのプロキシとしての前記リダイレクタに送信する電子メールサーバを更に含む、請求項１に記載のコンピュータネットワーク。
【請求項８】
ファイアウォールを更に含み、前記電子メールメッセージは該ファイアウォールを通して受信され、前記リダイレクタは該ファイアウォール内に保護されるように構成される、請求項１に記載のコンピュータネットワーク。
【請求項９】
前記ファイアウォール内に、前記リダイレクタと通信して前記サービスを得るウェブクライアントを更に含む、請求項８に記載のコンピュータネットワーク。
【請求項１０】
前記リダイレクタは、前記サービスに関連するウェブページを前記ウェブクライアントに対して生成するように構成される、請求項９に記載のコンピュータネットワーク。
【請求項１１】
各コンピューティングエレメントが１以上のサービスをサポートするためのコンピューティングリソースを含む、複数のコンピューティングエレメントと、前記コンピューティングエレメントのそれぞれと通信するように接続されたリダイレクタと備えたコンピュータネットワークを用いてサービスを提供する方法であって、
前記コンピューティングエレメントのうちの１つにアドレス指定された、サービスを制御するための電子メールメッセージを受信するステップと、
前記コンピューティングエレメントの電子メールプロキシとして機能するように構成された前記リダイレクタを用いて、前記電子メールメッセージの少なくとも一部を対応するコンピューティングエレメントにルーティングするステップと
からなる方法。
【請求項１２】
前記リダイレクタを用いて電子メールメッセージをコンピューティングエレメントにルーティングするステップと、
そのコンピューティングエレメント上のサービスハンドラを用いて、その電子メールメッセージからアクセス関数を抽出するステップと、
抽出された前記アクセス関数に従うステップと
を更に含む、請求項１１に記載の方法。
【請求項１３】
前記リダイレクタ上のサービスハンドラを用いて、入ってきた電子メールメッセージからアクセス関数を抽出するステップと、
前記電子メールメッセージから得られたコマンド又はデータを前記サービスをサポートする前記複数のコンピューティングエレメントのうちの１つへ送信することにより、抽出された前記アクセス関数に従うステップと
を更に含む、請求項１１に記載の方法。
【請求項１４】
前記アクセス関数を抽出するステップは、前記電子メールからサービスを抽出することを更に含み、前記抽出されたアクセス関数に従うステップは、抽出されたサービスを利用可能なコンピューティングリソースを有する前記コンピューティングエレメントの１つにロードすることを更に含む、請求項１３に記載の方法。
【請求項１５】
前記データは、サービスを得るための指定された場所であり、前記方法は、前記指定された場所から前記サービスを得ることを更に含む、請求項１３に記載の方法。
【請求項１６】
メールサーバを用いて電子メールを受信するステップと、
アクセス関数を含む電子メールを前記複数のコンピューティングエレメントのプロキシとしての前記リダイレクタに送信するステップと
を更に含む、請求項１１に記載の方法。
【請求項１７】
前記メールサーバ及びリダイレクタをファイアウォールによって保護するステップを更に含み、前記電子メールメッセージは該ファイアウォールを通して受信される、請求項１６に記載の方法。
【請求項１８】
前記リダイレクタと通信する前記ファイアウォール内のウェブクライアントを用いて前記サービスにアクセスするステップを更に含む、請求項１７に記載の方法。
【請求項１９】
前記リダイレクタを用いて、前記サービスに関連するウェブページを前記ウェブクライアントに対して生成するステップを更に含む、請求項１８に記載の方法。
【請求項２０】
前記リダイレクタを用いて、前記サービスに関連するウェブページを前記ウェブクライアントに対して生成するステップを更に含む、請求項１１に記載の方法。
【請求項２１】
抽出された前記アクセス関数に従う応答電子メールメッセージを送信するステップを更に含む、請求項１１に記載の方法。
【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】
複数のメモリセルと、および
前記メモリセルに隣接するが、前記メモリセルから電気的に分離される複数の書込み導体とを備え、前記書込み導体のうちの少なくとも２つが、１つの共有スイッチに接続され、前記書込み導体は、電流が流れるための経路を提供し、それにより前記メモリセルの状態を変化させるために用いられる磁界を生成するように構成されている、磁気メモリデバイス。
【請求項２】
各メモリセルが、自由磁性層と固定磁性層とを含む、請求項１に記載のメモリデバイス。
【請求項３】
前記書込み導体がそれぞれ、前記１つの共有スイッチに接続される、請求項１に記載のメモリデバイス。
【請求項４】
前記書込み導体がそれぞれ、その独自の別個のスイッチに接続される、請求項３に記載のメモリデバイス。
【請求項５】
前記スイッチがそれぞれ、トランジスタからなる、請求項４に記載のメモリデバイス。
【請求項６】
前記書込み導体と前記メモリセルとの間に配置された読出し導体の層をさらに含み、前記読出し導体が、前記メモリセルに電気的に結合され、前記メモリセルに読出し電流を供給するように構成されている、請求項１に記載のメモリデバイス。
【請求項７】
前記メモリセルの反対側に設けられた書込み導体の層をさらに含み、その書込み導体の層が、前記メモリセルから電気的に分離され、前記書込み導体の層のうちの少なくとも２つが、１つの第２の共有スイッチに接続され、前記書込み導体の層が、電流を流すための経路を提供し、それにより前記メモリセルの状態を変化させるために用いられる磁界を生成するように構成されている、請求項１に記載のメモリデバイス。
【請求項８】
２次元のアレイに配列された複数のメモリセルと、
前記メモリセルのうちの第１の側にあるメモリセルに電気的に結合され、書込み中に前記メモリセルに磁界を与え、読出し中に前記メモリセルに電流を与えるように構成されている、複数の読出し／書込み導体と、
前記メモリセルのうちの第２の側にあるメモリセルに電気的に結合され、読出し中に前記メモリセルに電流を与えるように構成されている、複数の読出し導体と、および
前記読出し導体に隣接し、前記メモリセルから電気的に分離された複数の書込み導体とを備え、前記書込み導体のうちの少なくとも２つが、１つの共有トランジスタに接続され、前記書込み導体が、書込み中に前記メモリセルのための磁界を生成するように構成されている、磁気メモリデバイス。
【請求項９】
各メモリセルが、自由磁性層と固定磁性層とを含む、請求項８に記載のメモリデバイス。
【請求項１０】
前記書込み導体がそれぞれ、前記１つの共有スイッチに接続される、請求項８に記載のメモリデバイス。
【請求項１１】
前記書込み導体がそれぞれ、その別個のトランジスタに接続される、請求項８に記載のメモリデバイス。
【請求項１２】
複数のメモリセルと、および
ｎが正の整数である、ｎ個の書込み導体とを含み、
前記ｎ個の書込み導体は、前記メモリセルに隣接して配置されるが、前記メモリセルから電気的に分離され、前記ｎ個の書込み導体は、各書込み導体がその独自の別個の導体からなり、且つ共有トランジスタに更に接続されるように、（ｎ＋１）個の書込みトランジスタに接続される、磁気メモリデバイス。
【請求項１３】
前記書込み導体と前記メモリセルとの間に配置された読出し導体の層をさらに含み、各読出し導体が、その独自の読出しトランジスタを含む、請求項１２に記載のメモリデバイス。
【請求項１４】
磁気メモリデバイスのメモリセルにデータを書き込むための方法であって、
第１のトランジスタを用いて前記磁気メモリデバイスの書込み導体の第１の端部に書込み電圧を与えるステップであって、前記書込み導体が前記メモリセルから電気的に分離されている、ステップと
前記書込み導体の第２の端部を、前記磁気メモリデバイスの少なくとも１つの他の書込み導体に接続された第２のトランジスタを用いてグランドに接続し、第１の電流経路および第１の磁界を形成するステップと、および
第２の電流経路および第２の磁界を形成するために、グランドに接続された別個の導体にも書込み電圧を与えるステップとを含み、
前記第１および前記第２の磁界が合わさって前記メモリセルの状態を変化させる、方法。
【請求項１５】
前記別個の導体に書込み電圧を与えるステップが、別個の書込み導体の第１の端部に第３のトランジスタを設け、前記書込み導体が前記メモリセルから電気的に分離され、前記別個の書込み導体の第２の端部を、前記磁気メモリデバイスの少なくとも１つの他の書込み導体に接続される第４のトランジスタを用いてグランドに接続して、前記第２の電流経路および前記第２の磁界を形成することを含む、請求項１４に記載の方法。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
データ記憶デバイスであって、
行および列を有する抵抗性メモリセルのアレイと、
前記アレイ内の複数のメモリセルに電気的に直列に接続される１組のダイオードと、
前記アレイの前記行に沿って延在する複数のワード線と、
前記アレイの前記列に沿って延在する複数のビット線と、
前記アレイ内の第１の選択されたメモリセルであって、該第１の選択されたメモリセルは前記複数のワード線内の第１のワード線と前記複数のビット線内の第１のビット線との間に配置される、第１の選択されたメモリセルと、
前記アレイに電気的に接続される回路であって、前記第１の選択されたメモリセルに流れる信号電流をモニタすることができ、前記第１の選択されたメモリセルが第１の抵抗状態にあるか、第２の抵抗状態にあるかを判定するために前記信号電流を平均基準電流と比較することができる、回路
とを含む、データ記憶デバイス。
【請求項２】
抵抗性メモリセルの前記アレイは磁気ランダムアクセスメモリ（ＭＲＡＭ）セルを含む、請求項１のデバイス。
【請求項３】
前記ＭＲＡＭセルはトンネル接合を含む、請求項２のデバイス。
【請求項４】
前記１組のダイオードは薄膜ダイオードから構成される、請求項１のデバイス。
【請求項５】
前記アレイ内に第２の選択されたメモリセルをさらに含み、前記第１の選択されたメモリセルは前記アレイの第１の層内にあり、前記第２の選択されたメモリセルは前記アレイの第２の層内にある、請求項１のデバイス。
【請求項６】
前記回路は、前記第１の選択されたメモリセルを前記第１の抵抗状態にし、前記第１の選択されたメモリセルが前記第１の抵抗状態にある間に第１の基準電流を読み取り、前記第１の選択されたメモリセルを前記第２の抵抗状態にし、前記第１の選択されたメモリセルが前記第２の抵抗状態にある間に第２の基準電流を読み取り、及び、前記平均基準電流を得るために前記第１の基準電流と前記第２の基準電流とを平均することにより、前記平均基準電流を得ることができることからなる、請求項１のデバイス。
【請求項７】
前記回路は、前記第１の選択されたメモリセルを元の抵抗状態に戻すことができ、前記第１の選択されたメモリセルに前記信号電流が流れることからなる、請求項６のデバイス。
【請求項８】
前記回路は、外部の供給源から前記平均基準電流を得ることができる、請求項１のデバイス。
【請求項９】
前記回路は、前記第１の選択されたメモリセル以外のメモリセルをモニタすることにより前記平均基準電流を得ることができる、請求項１のデバイス。
【請求項１０】
前記回路は、前記第１のワード線と前記第１のビット線に十分なエネルギーを与えて、前記第１の選択されたメモリセルを第１の抵抗状態から第２の抵抗状態に変化させることによって、前記第１の選択されたメモリセルに書き込みを行うことができる、請求項１のデバイス。
【請求項１１】
抵抗性メモリセルのアレイと、
前記アレイの行に沿って延在する複数のワード線と、
前記アレイの列に沿って延在する複数のビット線と、
前記アレイ内の第１の選択されたメモリセルであって、前記第１の選択されたメモリセルは前記複数のワード線内の第１のワード線と前記複数のビット線内の第１のビット線との間に配置される、第１の選択されたメモリセルと、
前記アレイに電気的に接続される回路
とを含むデータ記憶デバイスにおいて、前記第１の選択されたメモリセルの抵抗状態を読み取る方法であって、
前記アレイ内の複数のメモリセルに電気的に直列に接続される１組のダイオードを設けるステップと、
前記アレイ内の前記第１の選択されたメモリセルに流れる信号電流を読み取るステップと、
前記信号電流を平均基準電流と比較するステップと、
前記信号電流と前記基準電流とを比較することにより、前記第１の選択されたメモリセルが第１の抵抗状態にあるか、第２の抵抗状態にあるかを判定するステップ
とを含む、方法。
【請求項１２】  
前記設けるステップは、１組の薄膜ダイオードを設けるステップを含む、請求項１１の方法。
【請求項１３】
前記読み取るステップは、磁気ランダムアクセスメモリ（ＭＲＡＭ）セルを流れる信号電流を読み取るステップを含む、請求項１１の方法。
【請求項１４】  
前記読み取るステップは、トンネル接合を含むＭＲＡＭセルを流れる信号電流を読み取るステップを含む、請求項１１の方法。
【請求項１５】
前記判定するステップは、前記ＭＲＡＭセルが反平行強磁性状態と平行強磁性状態のいずれの状態にあるかを判定するステップを含む、請求項１４の方法。
【請求項１６】
前記平均基準電流を外部の供給源から得るステップをさらに含む、請求項１１の方法。
【請求項１７】
前記第１の選択されたメモリセル以外のセルをモニタすることによって前記平均基準電流を得るステップをさらに含む、請求項１１の方法。
【請求項１８】  
前記第１の選択されたメモリセルを前記第１の抵抗状態にするステップと、
前記第１の選択されたメモリセルが前記第１の抵抗状態にある間に第１の基準電流を読み取るステップと、
前記第１の選択されたメモリセルを前記第２の抵抗状態にするステップと、
前記第１の選択されたメモリセルが前記第２の抵抗状態にある間に第２の基準電流を読み取るステップと、
前記平均基準電流の値を得るために、前記第１の基準電流と前記第２の基準電流とを平均するステップ
とをさらに含む、請求項１１の方法。
【請求項１９】
前記第１の選択されたメモリセルの状態を、前記第１の基準電流と前記第２の基準電流が読み取られる前の状態に戻すステップをさらに含む、請求項１８の方法。
【請求項２０】
前記第１の選択されたメモリセルが配置される層とは異なる、前記アレイの層内に配置される第２の選択されたメモリセルを流れる信号電流を読み取るステップをさらに含む、請求項１１の方法。
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】
位置決め機構に保持されるアームと、
一端を前記アームに保持されるロードビームと、
前記ロードビームの他端側に保持される、第１のスライダを取り付けるための第１のフレクシャと、
前記第１のフレクシャよりも前記アーム側に位置し、第２のスライダを取り付けるための第２のフレクシャと、
前記第１のフレクシャと前記第２のフレクシャの間で、前記第１のスライダに第１の荷重を加える第１の荷重曲げ部と、
前記第２のフレクシャと前記アームの間で、前記第２のスライダに第２の荷重を加える第２の荷重曲げ部を備えることを特徴とするサスペンション。
【請求項２】
前記第１のフレクシャのジンバル剛性が前記第２のフレクシャのジンバル剛性よりも小さいことを特徴とする請求項１に記載のサスペンション。
【請求項３】
前記第２の荷重は前記第１の荷重より大きいことを特徴とする請求項１に記載のサスペンション。
【請求項４】
前記ロードビームは、前記第１のフレクシャを保持し、前記第１の荷重曲げ部を有する第１のロードビームと、前記第２のフレクシャを保持し、前記第２の荷重曲げ部を有し、前記第１のロードビームを保持する第２のロードビームで構成されることを特徴とする請求項１に記載のサスペンション。
【請求項５】
前記第１のロードビームは前記第２のロードビームより薄いことを特徴とする請求項４に記載のサスペンション。
【請求項６】
位置決め機構に保持されるアームと、
一端を前記アームに保持されるロードビームと、
前記ロードビームの他端側に保持される第１のフレクシャと、
前記第１のフレクシャを介して取り付けられる第１のスライダと、
前記第１のフレクシャよりも前記アーム側に、保持される第２のフレクシャと、
前記第２のフレクシャを介して取り付けられる第２のスライダと、
前記第１のフレクシャと前記第２のフレクシャの間で、前記第１のスライダに第１の荷重を加える第１の荷重曲げ部と、
前記第２のフレクシャと前記アームの間で、前記第２のスライダに第２の荷重を加える第２の荷重曲げ部を備えることを特徴とするヘッド組立体。
【請求項７】
前記第１のフレクシャのジンバル剛性は前記第２のフレクシャのジンバル剛性よりも小さいことを特徴とする請求項６に記載のヘッド組立体。
【請求項８】
前記第２の荷重は前記第１の荷重より大きいことを特徴とする請求項６に記載のヘッド組立体。
【請求項９】
前記ロードビームは、前記第１のフレクシャを保持し、前記第１の荷重曲げ部を有する第１のロードビームと、前記第２のフレクシャを保持し、前記第２の荷重曲げ部を有し、前記第１のロードビームを保持する第２のロードビームで構成されることを特徴とする請求項６に記載ヘッド組立体。
【請求項１０】
前記第１のロードビームは前記第２のロードビームより薄いことを特徴とする請求項９に記載のヘッド組立体。
【請求項１１】
情報を記録する磁気ディスクと、
前記磁気ディスクとの間で、情報を記録・再生する磁気ヘッドを有するヘッド組立体を有する磁気ディスク装置であって、
前記ヘッド組立体は、  
位置決め機構に保持されるアームと、
一端を前記アームに保持されるロードビームと、
前記ロードビームの他端側に保持される第１のフレクシャと、
前記第１のフレクシャを介して取り付けられ、前記磁気ヘッドを保持する第１のスライダと、
前記第１のフレクシャよりも前記アーム側に、保持される第２のフレクシャと、
前記第２のフレクシャを介して取り付けられる第２のスライダと、
前記第１のフレクシャと前記第２のフレクシャの間で、前記第１のスライダに第１の荷重を加える第１の荷重曲げ部と、
前記第２のフレクシャと前記アームの間で、前記第２のスライダに第２の荷重を加える第２の荷重曲げ部を備えることを特徴とする磁気ディスク装置。
【請求項１２】
前記第１のフレクシャのジンバル剛性は前記第２のフレクシャのジンバル剛性よりも小さいことを特徴とする請求項１１に記載の磁気ディスク装置。
【請求項１３】
前記第２の荷重は前記第１の荷重より大きいことを特徴とする請求項１１に記載の磁気ディスク装置。
【請求項１４】
前記ロードビームは、前記第１のフレクシャを保持し、前記第１の荷重曲げ部を有する第１のロードビームと、前記第２のフレクシャを保持し、前記第２の荷重曲げ部を有し、前記第１のロードビームを保持する第２のロードビームで構成されることを特徴とする請求項１１に記載の磁気ディスク装置。
【請求項１５】
前記第１のロードビームは前記第２のロードビームより薄いことを特徴とする請求項１４に記載の磁気ディスク装置。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  コンピュータプログラムの性能を向上させる方法であって、
前記プログラムを実行し、これにより、前記プログラムの性能に影響を与えるパラメータを含む仮想マシンを実行するステップと、
前記プログラムの実行、前記仮想マシン、および前記パラメータにアクセスすることができる制御パネルを呼出すステップと、
前記制御パネルを介して、前記プログラムおよび前記仮想マシンが実行されている間に、
前記パラメータの値を新たな値になるように調整し、
前記新たな値をもつ前記パラメータにより前記プログラムを動作させ、
前記動作の結果を分析し、
前記分析の結果に基づいてアクションを取るステップと、
を有する方法。
【請求項２】  前記プログラムは、Ｊａｖａ言語で書かれており、前記仮想マシンはＪａｖａ仮想マシンである、請求項１に記載の方法。
【請求項３】  前記アクションを取るステップは、前記調整すること、前記動作させること、前記分析すること、および前記アクションを取ることを繰返すことを含む、請求項１に記載の方法。
【請求項４】  前記アクションを取るステップは、前記プログラムのメソッドのコンパイルを強制すること、前記プログラムのメソッドのオンスタックリプレースメントを強制すること、前記プログラムを実行する前記コンピュータのメモリヒープを再構成すること、前記コンピュータのメモリに対しガーベジコレクションを実行すること、および前記仮想マシンを再構成することのうちの１つまたは組合せから選択される、請求項１に記載の方法。
【請求項５】  前記パラメータの値は、前記制御パネルおよび前記仮想マシンへアクセス可能な共有メモリに記憶される、請求項１に記載の方法。
【請求項６】  前記調整するステップはプロセス間通信プロトコルを使用する、請求項１に記載の方法。
【請求項７】  前記パラメータは前記仮想マシンのコンフィギュレーションの一部である、請求項１に記載の方法。
【請求項８】  ネットワークを介して、前記プログラムを実行している前記コンピュータに接続された表示装置に、前記制御パネルを表示するステップをさらに含む、請求項１に記載の方法。
【請求項９】  後の使用のために前記新たな値を保存するステップをさらに含む、請求項１に記載の方法。
【請求項１０】  前記仮想マシンのトレース機能を起動するステップをさらに含む、請求項１に記載の方法。
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  
一または複数の処理単位に応答して、表示装置における表示を制御する表示制御方法であって、
予め定義された複数の表示領域の中の一つを獲得するための前記処理単位からの要求を受け付けるステップ、
前記処理単位からの要求に応じて、前記予め定義された複数の表示領域の中の一つを獲得するための許可を与えるか否かを判断するステップを含み、
前記予め定義された複数の表示領域の中の同一の表示領域に対して複数の処理単位からの獲得の要求を前記受け付けるステップにて受け付けた場合、前記同一の表示領域を獲得する要求をした複数の処理単位のうちの1つの処理単位にのみ前記許可を与えることを特徴とする表示制御方法。
【請求項２】
前記各複数の処理単に対して優先度が付されており、前記表示許可は、より優先度の高い処理単位に与えられる請求項１記載の表示制御方法。
【請求項３】
前記処理単位はアプリケーションである請求項１または２記載の表示制御方法。
【請求項４】
一または複数の処理単位に応答して、表示装置における表示を制御する表示制御装置であって、
予め定義された複数の表示領域の中の一つを獲得するための前記処理単位からの要求を受け付ける手段と、
前記処理単位からの要求に応じて、前記予め定義された複数の表示領域の中の一つを獲得するための許可を与えるか否かを判断する手段とを備え、
前記予め定義された複数の表示領域の中の同一の表示領域に対して複数の処理単位からの獲得の要求を前記受け付けるステップにて受け付けた場合、前記同一の表示領域を獲得する要求をした複数の処理単位のうちの1つの処理単位にのみ前記許可を与えることを特徴とする表示制御装置。
【請求項５】
前記各複数の処理単位に対して優先度が付されており、前記表示許可は、より優先度の高い処理単位に与えられる請求項４記載の表示制御装置。
【請求項６】
前記処理単位はアプリケーションである請求項４または５記載の表示制御装置。
【請求項７】
一または複数の処理単位に応答して表示装置における表示を制御するために処理部によって実行されるプログラムが記録された記録媒体であって、
前記プログラムは、
予め定義された複数の表示領域の中の一つを獲得するための前記処理単位からの要求を受け付けるステップ、
前記処理単位からの要求に応じて、前記予め定義された複数の表示領域の中の一つを獲得するための許可を与えるか否かを判断するステップを含み、
前記予め定義された複数の表示領域の中の同一の表示領域に対して複数の処理単位からの獲得の要求を前記受け付けるステップにて受け付けた場合、前記同一の表示領域を獲得する要求をした複数の処理単位のうちの1つの処理単位にのみ前記許可を与えることを特徴とするプログラムが記録された記録媒体。
【請求項８】
前記各複数の処理単位に対して優先度が付されており、前記表示許可は、より優先度の高い処理単位に与えられる請求項７記載の記録媒体。
【請求項９】
前記処理単位はアプリケーションである請求項７または８記載の記録媒体。
【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  画像処理の方法であって、
多チャネル画像中の１以上のクリップされたピクセルの１以上のクリップされたチャネルについての値を、前記１以上のクリップされたピクセルのクリップされていないチャネル及び前記１以上のクリップされたピクセルに近い１以上のクリップしていないピクセルから得られる情報に依存して推定するステップを有する方法。
【請求項２】  前記クリップされたピクセルは、前記クリップされたピクセルのチャネルの１つだけがクリップしている単一クリップである、請求項１に記載の方法。
【請求項３】  いずれかまたは全ての単一クリップされたピクセルのクリップされたチャネルについての値を推定した後、前記１以上の二重クリップされたピクセルのクリップされたチャネルについての値を、１以上の二重クリップされたピクセルのクリップしていないチャネル及び前記１以上の二重クリップされたピクセルに近い１以上のクリップされていないチャネルとから得られる情報に依存して、前記二重クリップされたピクセルの１以上のパラメータを調整することによって推定するステップを更に有する、請求項２に記載の方法。
【請求項４】  いずれかまたは全ての二重クリップされたピクセルのクリップされたチャネルについての値を推定した後、多チャネル画像中の１以上の三重クリップされたピクセルのクリップされたチャネルについての値を、前記１以上の三重クリップされたピクセルに近い１以上のクリップしていないピクセルから得られる情報に依存して推定するステップ更に有する、請求項３に記載の方法。
【請求項５】  デジタル画像プロセッサであって、
デジタル画像中の１以上の単一クリップされたピクセルのクリップされたチャネルについての値を、前記１以上の単一クリップされたピクセルのクリップしていないチャネル及び前記１以上の単一クリップされたピクセルに近い１以上のクリップしていないチャネルから得られる情報に依存して推定するよう適用される処理手段を有するデジタル画像プロセッサ。
【請求項６】  デジタルカメラであって、
対象のピクセル化されたデジタル画像を取込むための取込み手段と、
前記ピクセル化されたデジタル画像中の１以上の単一クリップされたピクセルのクリップされたチャネルについての値を、前記１以上の単一クリップされたピクセルのクリップしていないチャネル及び前記１以上のクリップされたピクセルに近い１以上のクリップしていないピクセルとから得られる情報に依存して推定するよう適用される処理手段とを有するデジタルカメラ。
【請求項７】  デジタル写真仕上げシステムであって、
処理すべきピクセル化されたデジタル画像を受取るための入力手段と、
前記ピクセル化されたデジタル画像中の１以上の単一クリップされたピクセルのクリップされたチャネルについての値を、前記１以上の単一クリップされたピクセルのクリップしていないチャネル及び前記１以上の単一クリップされたピクセルに近い１以上のクリップしていないピクセルとから得られる情報に依存して推定するよう適用される処理手段とを有するデジタル写真仕上げシステム。
【請求項８】  コンピュータプログラムであって、
前記プログラムがコンピュータ上で実行される時、
多チャネル画像中の１以上のクリップされたピクセルの１以上のクリップされたチャネルについての値を、前記１以上のクリップされたピクセルのクリップされていないチャネル及び前記１以上のクリップされたピクセルに近い１以上のクリップしていないピクセルから得られる情報に依存して推定するステップと、前記クリップされたピクセルは前記クリップされたピクセルのチャネルの１つだけがクリップしている単一クリップであり、
いずれかまたは全ての単一クリップされたピクセルのクリップされたチャネルについての値を推定した後、前記１以上の二重クリップされたピクセルのクリップされたチャネルについての値を、１以上の二重クリップされたピクセルのクリップしていないチャネル及び前記１以上の二重クリップされたピクセルに近い１以上のクリップされていないチャネルとから得られる情報に依存して、前記二重クリップされたピクセルの１以上のパラメータを調整することによって推定するステップと、
いずれかまたは全ての二重クリップされたピクセルのクリップされたチャネルについての値を推定した後、多チャネル画像中の１以上の三重クリップされたピクセルのクリップされたチャネルについての値を、前記１以上の三重クリップされたピクセルに近い１以上のクリップしていないピクセルから得られる情報に依存して推定するステップと、
を行うプログラムコード手段を有するコンピュータプログラム。
【請求項９】  画像処理の方法であって、
少なくとも１つのチャネル値がクリップしている多チャネル画像中のピクセルを識別し、
クリップしていないピクセルからのチャネル値に基づいてクリップ除去関係を生成し、
前記識別されたピクセルでクリップされたチャネル値をクリップ除去するために前記クリップ除去関係を適用するステップを有する方法。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
複数の計算資源ユニット（１４）と、
複数の視覚化資源ユニット（１６）と、
前記複数の視覚化資源ユニット（１６）を、前記複数の計算資源ユニット（１４）に、動的に結合し、選択された１つ以上の視覚化資源ユニット（１６）を、選択された１つ以上の計算資源ユニット（１４）に動的に結合し、複数のグラフィカル画像から少なくとも１つのグラフィカル画像を生成するスイッチ機構（３４）と、
前記１つ以上の選択された視覚化資源ユニット（１６）に結合され、前記少なくとも１つのグラフィカル画像を表示する複数の表示装置（１８）と
を有する集中化資源システム（１０）であって、
前記複数の視覚化資源ユニット（１６）は、
複数のグラフィクスパイプラインと、
複数のコンポジタ(compositor)と、
前記コンポジタと、前記複数のグラフィクスパイプラインとを結合する第２のスイッチ機構と
を有する
集中化資源システム。
【請求項２】
前記複数の表示装置（１８）は、ネットワーク（２０）を介して、前記１つ以上の選択された視覚化資源ユニット（１６）に結合される
請求項１に記載のシステム。
【請求項３】
前記スイッチ機構は、
クロスバスイッチ
を有する
請求項１に記載のシステム。
【請求項４】
複数の計算資源ユニット（１４）と、
複数の視覚化資源ユニット（１６）と、
前記複数の視覚化資源ユニット（１６）を、前記複数の計算資源ユニット（１４）に、動的に結合し、選択された１つ以上の視覚化資源ユニット（１６）を、選択された１つ以上の計算資源ユニット（１４）に動的に結合し、複数のグラフィカル画像から少なくとも１つのグラフィカル画像を生成するスイッチ機構（３４）と、
前記１つ以上の選択された視覚化資源ユニット（１６）に結合され、前記少なくとも１つのグラフィカル画像を表示する複数の表示装置（１８）と
を有する集中化資源システム（１０）であって、
前記複数の視覚化資源ユニット（１６）は、
複数のグラフィクスパイプラインと、
それぞれ、前記グラフィクスパイプラインそれぞれと結合され、前記グラフィクスパイプラインからのデータをパケット化する複数のコンバータと、
複数のコンポジタ(compositor)と、
前記複数のコンポジタと、前記複数のコンバータとを結合する第２のスイッチ機構と
を有する
集中化資源システム。
【請求項６】
前記スイッチ機構は、
クロスバスイッチ
を有する
請求項４に記載のシステム。
【請求項７】
複数の計算資源ユニット（１４）と、
複数の視覚化資源ユニット（１６）と、
前記複数の視覚化資源ユニット（１６）を、前記複数の計算資源ユニット（１４）に、動的に結合し、選択された１つ以上の視覚化資源ユニット（１６）を、選択された１つ以上の計算資源ユニット（１４）に動的に結合し、複数のグラフィカル画像から少なくとも１つのグラフィカル画像を生成するスイッチ機構（３４）と、
前記１つ以上の選択された視覚化資源ユニット（１６）に結合され、前記少なくとも１つのグラフィカル画像を表示する複数の表示装置（１８）と、
前記計算資源ユニットへの要求を判定し、前記視覚化資源ユニットへの要求を判定し、前記計算資源ユニットおよび前記視覚化資源ユニットを割り振るエージェントと
を有する集中化資源システム。
【請求項８】
計算資源の割り振りを制御する方法であって、
複数の計算資源により実行されるグラフィック視覚化ジョブを受けることと、
前記ジョブのための計算資源要求を判定することと、
前記計算資源の利用可能性を判定することと、
前記計算資源要求および前記利用可能性の判定に応じて、前記複数の計算資源から、計算資源を割り当てることと、
前記ジョブの結果を受ける受け取り先を判定することと、
前記割り当てられた計算資源から、前記判定された受け取り先への通信チャネルを設定することと
を含む方法。
【請求項９】
視覚化資源要求を判定することと、
視覚化資源の利用可能性を判定することと、
前記計算資源要求および前記利用可能性の判定に応じて、前記視覚化資源を割り当てることと
をさらに含む請求項８に記載の方法。
【請求項１０】
前記割り当てられた計算資源から、前記割り当てられた視覚化資源への第２の通信チャネルを定めること
をさらに含む請求項９に記載の方法。
【請求項１１】
前記第２の通信チャネルを定めることは、
前記割り当てられた計算資源と前記割り当てられた視覚化資源との間に結合された第２のスイッチを設定すること
を含む
請求項１０に記載の方法。
【請求項１２】
初期化ジョブ
をさらに含む請求項９に記載の方法。
【請求項１３】
前記通信チャネルを定めることは、
前記割り当てられた計算資源と、前記判定された受け取り先との間に結合されたスイッチ機構を設定すること
を含む
請求項９に記載の方法。
【請求項１４】
複数の計算資源ユニットと、
複数のグラフィクスパイプラインと、
前記複数の計算資源ユニットと、前記複数のグラフィクスパイプラインとを結合する第１のスイッチ機構であって、前記複数の計算資源ユニットの出力と、前記複数のグラフィクスパイプラインの入力とを、選択的に結合する第１のスイッチ機構と、
複数のコンポジタと、
前記複数のグラフィクスパイプラインと、前記複数のコンポジタとを結合する第２のスイッチ機構であって、前記複数のグラフィクスパイプラインの出力と、前記複数のコンポジタの入力とを、選択的に結合する第２のスイッチ機構と
を有するグラフィック視覚化装置。
【請求項１５】
前記複数のコンポジタに結合され、レンダリングされたグラフィカル画像を、前記コンポジタから受信して表示する複数の表示装置
をさらに有する請求項１４に記載のグラフィック視覚化装置。
【請求項１６】
前記複数の表示装置は、前記複数のコンポジタと、インターネットを介して接続される
請求項１４に記載のグラフィック視覚化装置。
【請求項１７】
前記計算資源ユニットへの要求を判定し、前記グラフィクスパイプラインへの要求を判定し、これらの判定に応じて、前記計算資源ユニットおよび前記グラフィクスパイプラインを割り振るエージェント
をさらに有する請求項１４に記載のグラフィック視覚化装置。
【請求項１８】
前記第１のスイッチ機構および前記第２のスイッチ機構それぞれは、
クロスバスイッチ
を有する
請求項１４に記載のグラフィック視覚化装置。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
所定のセキュリティコードに対応するセキュリティファイルと、
電子機器に存在し前記セキュリティファイルを格納するように構成されたメモリと、
カードキーであって、前記所定のセキュリティコードに対応し、前記電子機器に連結するように構成され、さらに該カードキーを通信するように構成されたポータブルメモリモジュールに存在するカードキーと、
前記カードキーを前記セキュリティファイルと比較するように構成され、通信された前記カードキーを受取るように構成され、さらに前記セキュリティファイルが前記カードキーに対応する場合にのみ前記電子機器の使用を可能にするように構成されたプロセッサと、
期間のタイミングをとることにより、該期間が経過した後に前記プロセッサが前記カードキーを前記セキュリティファイルと比較するように構成されたセキュリティタイマと
を備える、電子機器の無許可な使用を防止するシステム。
【請求項２】
前記カードキーは、バックアップカードキーであって第２のメモリに存在しており、該第２のメモリは、該カードキーが該第２のメモリから前記プロセッサに通信されるようにコンピュータに存在するものである、請求項１に記載のシステム。
【請求項３】
電子機器にセキュリティを提供する方法であって、
所定のセキュリティコードに対応するカードキーを受取るステップと、
前記電子機器のメモリのユニットに存在し、前記所定のセキュリティコードに対応するセキュリティキーを受取るステップと、
前記カードキーを前記セキュリティキーと比較するステップと、
前記カードキーが前記セキュリティキーに対応する場合にのみ前記電子機器の使用を可能にするステップと、
前記受取るステップと比較するステップと可能にするステップとが、期間の終結時に実行されるように、該期間のタイミングをとるステップと
を含む方法。
【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】コンピュータアプリケーションのメモリ使用状況を最適化する方法であって、
ａ）タイミング情報を含むアプリケーションメモリ使用状況データを受信することと、
ｂ）前記アプリケーションメモリ使用状況データのグラフ表示を生成することと、
ｃ）少なくとも１つのヒープパラメータを受信することと、
ｄ）前記アプリケーションメモリ使用状況データおよび前記ヒープパラメータに基づいてメモリ使用状況シミュレーションを行うことと、
を含む方法。
【請求項２】前記コンピュータアプリケーションはＪａｖａベースである、請求項１に記載の方法。
【請求項３】前記ヒープパラメータをプログラミング言語インタプリタに挿入するステップをさらに含む、請求項１に記載の方法。
【請求項４】前記プログラミング言語インタプリタはＪａｖａ仮想マシンである、請求項３に記載の方法。
【請求項５】前記ヒープパラメータはユーザ入力に応答して受信される、請求項１に記載の方法。
【請求項６】前記ｃ）および前記ｄ）を繰り返して前記ガーベッジコレクションを最適化するステップをさらに含む、請求項１に記載の方法。
【請求項７】前記ガーベッジコレクションシミュレーションのグラフ表示を生成するステップをさらに含む、請求項１に記載の方法。
【請求項８】前記メモリ使用状況データはメモリ割り当て挙動追跡から受信する、請求項１に記載の方法。
【請求項９】前記メモリ割り当て挙動追跡は−Ｘｖｅｒｂｏｓｅｇｃデータとして記録される、請求項８に記載の方法。
【請求項１０】前記ｄ）は、
前記アプリケーションメモリ使用状況データを受信するステップと、
前記アプリケーションメモリ使用状況データに基づいてシミュレーションモデルを決定するステップと、
前記アプリケーションメモリ使用状況データに基づいてヒープ構成およびヒープポリシーを決定するステップと、
少なくとも１つの前記ヒープパラメータを受信するステップと、
前記アプリケーションメモリ使用状況データの少なくとも１つの測定間隔中のシミュレーション特性を決定するステップと、
前記シミュレーション特性に基づいてアプリケーションの実行をシミュレートするステップと、
を含む、請求項１記載の方法。
【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  印刷の承認を与えるためのシステムであって、
可変データドキュメントを作成するために使用され、前記可変データドキュメントの少なくとも１つの要素をデジタル的に指定する可変データドキュメントシステムと、
前記可変データドキュメントシステムに関連付けられたプルーフィングポートフォリオであって、前記可変データドキュメントの前記少なくとも１つの要素の物理的な形態を含み、印刷機に関連付けられ、予め定義された期間の間有効であるプルーフィングポートフォリオと、
を含むシステム。
【請求項２】  前記少なくとも１つの要素は、前記可変データドキュメントのコピーホールに配置される複数のコンテンツ項目の少なくとも１つを含み、
前記少なくとも１つの要素の物理的な形態は、前記コンテンツ項目の少なくとも１つのハードコピー版を含む、請求項１に記載のシステム。
【請求項３】  前記少なくとも１つの要素は、前記可変データドキュメントのテクスチャを含み、
前記少なくとも１つの要素の物理的な形態は、前記テクスチャを具現するテクスチャサンプルを含む、請求項１に記載のシステム。
【請求項４】  前記少なくとも１つの要素は、前記可変データドキュメントの色を含み、
前記少なくとも１つの要素の物理的な形態は、前記色を具現するカラーサンプルを含む、請求項１に記載のシステム。
【請求項５】  前記プルーフィングポートフォリオは、該プルーフィングポートフォリオが無効になる日付を示す有効期限日を含む、請求項１に記載のシステム。
【請求項６】  校正刷りを行う方法であって、
可変データドキュメントシステムを使用して、印刷機で大量印刷する可変データドキュメントを指定するステップと、
印刷ベンダーからの前記可変データドキュメントの注文を生成するステップと、
プルーフィングポートフォリオをコントラクトプルーフとして前記注文に関連付けるステップと、
を含む方法。
【請求項７】  前記プルーフィングポートフォリオをコントラクトプルーフとして注文に関連付けるステップは、該プルーフィングポートフォリオに関連付けられたポートフォリオ識別子を前記注文に含めることを含む、請求項６に記載の方法。
【請求項８】  前記プルーフィングポートフォリオをコントラクトプルーフとして注文に関連付けるステップは、該プルーフィングポートフォリオが印刷された日付を示す印刷日を前記注文に含めることを含む、請求項６に記載の方法。
【請求項９】  前記可変データドキュメントシステムを使用して可変データドキュメントを指定するステップは、該可変データドキュメントに含ませるために選択可能であり前記可変データドキュメントシステムによって識別されるコンテンツ項目と、前記プルーフィングポートフォリオに含められた前記コンテンツ項目のハードコピー版とを関連付けることを含む、請求項６に記載の方法。
【請求項１０】  前記可変データドキュメントシステムを使用して可変データドキュメントを指定するステップは、該可変データドキュメントに含ませる前記コンテンツ項目を選択することをさらに含む、請求項９に記載の方法。